(57)【要約】【課題】切り取りや底面開放を行うことなく縮小サイズへ変形できるようにする。【解決手段】側板１及び端板２を周方向に連設した箱において、側板１には側折線８を入れ、側板１に連なる底板４及び蓋板５には、それぞれ側折線８の延長線上に底折線９及び蓋折線１０を入れ、側折線８を基準として、側板１の端板２に接近した部分には斜折線１１を入れる。最大サイズでの包装に際しては、側板１、底板４及び蓋板５を、側折線８、底折線９、蓋折線１０及び斜折線１１に沿って折り曲げることなく、その境界に沿って折り曲げ、縮小サイズでの包装に際しては、側板１を斜折線１１に沿って谷折り方向へ折り込むと共に、側板１、底板４及び蓋板５を、側折線８、底折線９及び蓋折線１０に沿って山折りすることにより、底板４の底折線９より端側の部分を側板１と共に起立させ、水平方向へ向いた端板２及びこれに連なる蓋片７の上面に蓋板５を重ねるようにする。【選択図】図３
2015030522.tif 000002
【特許請求の範囲】
【請求項１】
側板（１）及び端板（２）を、稜線を介して周方向に連設し、側板（１）の下端に底板（４）を、上端に蓋板（５）をそれぞれ連設し、端板（２）の下端に底片（６）を、上端に蓋片（７）をそれぞれ連設し、底板（４）及び底片（６）で底面を、蓋板（４）及び蓋片（７）で天面をそれぞれ閉じる箱において、
対向する側板（１）には、それぞれ側板（１）と端板（２）の稜線に平行となるように側折線（８）を入れ、底板（４）及び蓋板（５）には、それぞれ側折線（８）の延長線上に底折線（９）及び蓋折線（１０）を入れ、側折線（８）を基準として、側板（１）の端板（２）に接近した部分には、側折線（８）の下端から側板（１）と端板（２）の稜線の上端へかけて、端板（２）の方向へ４５°の角度をなす斜折線（１１）を入れ、
最大サイズでの包装に際しては、側板（１）、底板（４）及び蓋板（５）を、これらに入れた側折線（８）、底折線（９）、蓋折線（１０）及び斜折線（１１）に沿って折り曲げることなく、その境界に沿って折り曲げ、
縮小サイズでの包装に際しては、側板（１）を斜折線（１１）に沿って谷折り方向へ折り込むと共に、側板（１）、底板（４）及び蓋板（５）を、側折線（８）、底折線（９）及び蓋折線（１０）に沿って山折りすることにより、底板（４）の底折線（９）より端側の部分を側板（１）と共に起立させ、水平方向へ向いた端板（２）及び蓋片（７）の上面に蓋板（９）を重ねるサイズ可変箱。
【請求項２】
側板（１）及び端板（２）を、稜線を介して周方向に連設し、側板（１）の下端に底板（４）を、上端に蓋板（５）をそれぞれ連設し、端板（２）の下端に底片（６）を、上端に蓋片（７）をそれぞれ連設し、底板（４）及び底片（６）で底面を、蓋板（４）及び蓋片（７）で天面をそれぞれ閉じる箱において、
対向する側板（１）には、それぞれ側板（１）と端板（２）の稜線に平行となるように側折線（１３）を入れ、底板（４）及び蓋板（５）には、それぞれ側折線（１３）の延長線上に底折線（１４）及び蓋折線（１５）を入れ、側折線（１３）及び蓋折線（１５）をそれぞれ基準として、側板（１）及び蓋板（５）の端板（２）から離れた部分には、側折線（１３）の下端から蓋板（５）の先端へかけて、端板（２）の反対方向へ４５°の角度をなす斜折線（１６，１７）を連続的に入れ、
最大サイズでの包装に際しては、側板（１）、底板（４）及び蓋板（５）を、これらに入れた側折線（１３）、底折線（１４）、蓋折線（１５）及び斜折線（１６，１７）に沿って折り曲げることなく、その境界に沿って折り曲げ、
縮小サイズでの包装に際しては、側板（１）及び蓋板（５）を、側折線（１３）及び蓋折線（１５）に沿って谷折り方向へ折り込むと共に、斜折線（１６，１７）に沿って山折りし、底板（４）を底折線（１４）に沿って山折りすることにより、底板（４）の底折線（１４）より端側の部分を側板（１）と共に起立させ、端板（２）を水平方向へ向け、蓋板（５）を水平方向へ折り曲げ、蓋板（５）の上面に蓋片（７）を重ねるサイズ可変箱。
【発明の詳細な説明】
【技術分野】
【０００１】
この発明は、収納する物品の容積に応じてサイズを変更できる箱に関するものである。
【背景技術】
【０００２】
例えば、通信販売で靴を購入する顧客は、サイズやデザインの異なる数足の靴を取り寄せて、気に入った靴のみを購入し、他の靴を返品する場合がある。その際、返品される靴の送料は、通信販売事業者の負担となっている場合が多い。
【０００３】
ところで、一般に、荷物の送料は、サイズが小さいものは安く、大きいものは高くなるように段階的に設定されていることから、靴の返品に際し、通信販売事業者が発送に使用した箱を、顧客がそのまま再利用して返送すると、通信販売事業者は、発送時と同等の送料を負担しなければならない。このため、通信販売事業者は、顧客が箱のサイズを縮小して返送してくれることを期待して、サイズ可変箱の使用を検討している。
【０００４】
サイズ可変箱としては、高さ方向の寸法を変更できるものと、長さ方向の寸法を変更できるものとが従来より提案されているが、商品が靴の場合、個装箱を横に並べて収納する形態が多いため、長さ方向の寸法を変更できるものが好ましく、下記特許文献１には、このようなサイズ可変箱として、図１１及び図１２に示すようなものが記載されている。
【０００５】
この箱は、側板５１及び端板５２をそれぞれ対向させて周方向に連設し、側板５１の下端に底板５３を、上端に蓋板５４をそれぞれ連設し、端板５２の下端に底片５５を、上端に蓋片５６をそれぞれ連設した基本構成とされ、対向する側板５１には、それぞれ一方の端板５２寄りに、側板５１と端板５２の稜線に平行な２本の側折線５７が間隔をおいて入れられ、底板５３及び蓋板５４には、一方の端板５２寄りの部分を切り取る切目線５８が入れられている。また、一方の蓋片５６には、基部寄りに端板５２との稜線に平行な巻折線５９が入れられている。
【０００６】
このサイズ可変箱を最大サイズとして物品を包装する際には、図１１に示すように、側板５１を側折線５７に沿って折り曲げることなく、底板５３及び蓋板５４を切目線５８に沿って切り取ることなく、また、底片５５及び蓋片５６を巻折線５９に沿って折り曲げることもなく、そのままの状態で、底板５３及び底片５５により底面を閉じ、蓋板５４及び蓋片５６により天面を閉じる。
【０００７】
また、縮小サイズとして物品を包装する際には、底板５３及び蓋板５４の一部分を切目線５８に沿って切り取り、図１２に示すように、側板５１の一側部を側折線５７に沿って折り畳み、一方の端板５２に連なる底片５５及び蓋片５６を巻折線５９に沿って巻き込むように折り曲げ、側板５１の折り畳んだ部分を抱持した状態で、底板５３及び底片５５により底面を閉じ、蓋板５４及び蓋片５６により天面を閉じる。
【先行技術文献】
【特許文献】
【０００８】
【特許文献１】実開昭５７−１６７０１６号公報
【発明の概要】
【発明が解決しようとする課題】
【０００９】
しかしながら、上記のようなサイズ可変箱では、縮小サイズとする際、底板５３及び蓋板５４の一部分を切り取る必要があり、このとき、底板５３と底片５５を固定するテープを剥がして、底面を開放しなければならない。
【００１０】
このため、縮小作業への変形作業に手間がかかり、通信販売に使用した場合、商品の返送に際し、顧客が最大サイズのままで包装する可能性が高く、通信販売事業者の送料負担が軽減されないおそれがある。
【００１１】
また、縮小サイズへの変形に伴い、底板５３及び蓋板５４の一部分を箱の角部から切り取るので、包装状態での強度が低下するという問題がある。
【００１２】
そこで、この発明は、縮小サイズへの変形が容易で、送料負担を軽減でき、縮小サイズでの包装強度が低下しないサイズ可変箱を提供することを課題とする。
【課題を解決するための手段】
【００１３】
上記のような課題を解決するため、この発明は、側板及び端板を、稜線を介して周方向に連設し、側板の下端に底板を、上端に蓋板をそれぞれ連設し、端板の下端に底片を、上端に蓋片をそれぞれ連設し、底板及び底片で底面を、蓋板及び蓋片で天面をそれぞれ閉じる箱において、対向する側板には、それぞれ側板と端板の稜線に平行となるように側折線を入れ、底板及び蓋板には、それぞれ側折線の延長線上に底折線及び蓋折線を入れ、側折線を基準として、側板の端板に接近した部分には、側折線の下端から側板と端板の稜線の上端へかけて、端板の方向へ４５°の角度をなす斜折線を入れ、最大サイズでの包装に際しては、側板、底板及び蓋板を、これらに入れた側折線、底折線、蓋折線及び斜折線に沿って折り曲げることなく、その境界に沿って折り曲げ、縮小サイズでの包装に際しては、側板を斜折線に沿って谷折り方向へ折り込むと共に、側板、底板及び蓋板を、側折線、底折線及び蓋折線に沿って山折りすることにより、底板の底折線より端側の部分を側板と共に起立させ、水平方向へ向いた端板及び蓋片の上面に蓋板を重ねることとしたのである。
【００１４】
また、他の形態として、側板及び端板を、稜線を介して周方向に連設し、側板の下端に底板を、上端に蓋板をそれぞれ連設し、端板の下端に底片を、上端に蓋片をそれぞれ連設し、底板及び底片で底面を、蓋板及び蓋片で天面をそれぞれ閉じる箱において、対向する側板には、それぞれ側板と端板の稜線に平行となるように側折線を入れ、底板及び蓋板には、それぞれ側折線の延長線上に底折線及び蓋折線を入れ、側折線及び蓋折線をそれぞれ基準として、側板及び蓋板の端板から離れた部分には、側折線の下端から蓋板の先端へかけて、端板の反対方向へ４５°の角度をなす斜折線を連続的に入れ、最大サイズでの包装に際しては、側板、底板及び蓋板を、これらに入れた側折線、底折線、蓋折線及び斜折線に沿って折り曲げることなく、その境界に沿って折り曲げ、縮小サイズでの包装に際しては、側板及び蓋板を、側折線及び蓋折線に沿って谷折り方向へ折り込むと共に、斜折線に沿って山折りし、底板を底折線に沿って山折りすることにより、底板の底折線より端側の部分を側板と共に起立させ、端板を水平方向へ向け、蓋板を水平方向へ折り曲げ、蓋板の上面に蓋片を重ねることとしたのである。
【発明の効果】
【００１５】
この発明に係るサイズ可変箱では、最大サイズの状態から、側折線、底折線、蓋折線及び斜折線に沿った折り曲げに伴い、底面を開放することなく、長さ方向の寸法を短縮した縮小サイズへ容易に変形することができる。
【００１６】
このため、通信販売における商品の返送に際し、顧客が縮小サイズへ変形して包装することを期待でき、通信販売事業者は、送料負担を軽減できる。
【００１７】
また、縮小サイズへの変形に際し、底板や蓋板を箱の角部から切り取ったりする必要がないので、縮小サイズでの包装強度が低下することもない。
【図面の簡単な説明】
【００１８】
【図１】この発明の第１実施形態に係るサイズ可変箱のブランクを示す図
【図２】同上の最大サイズでの包装状態を示す斜視図
【図３】同上の２段階縮小サイズへの変形過程を示す斜視図
【図４】同上の２段階縮小サイズでの包装状態を示す斜視図
【図５】同上の１段階縮小サイズでの包装状態を示す斜視図
【図６】この発明の第２実施形態に係るサイズ可変箱のブランクを示す図
【図７】同上の最大サイズでの包装状態を示す斜視図
【図８】同上の縮小サイズへの変形過程を示す斜視図
【図９】同上の縮小サイズへの変形過程を示す斜視図
【図１０】同上の縮小サイズでの包装状態を示す斜視図
【図１１】従来のサイズ可変箱の最大サイズにおける開放状態を示す斜視図
【図１２】同上の縮小サイズにおける開放状態を示す斜視図
【発明を実施するための形態】
【００１９】
この発明の第１実施形態を図１〜図５に基づいて説明する。
【００２０】
図１に示すように、このサイズ可変箱の段ボール製ブランクでは、長さ方向の側板１及び幅方向の端板２が交互に各一対連設され、一端の側板１の外側端には、継代片３が連設されている。側板１の下端には底板４が、上端には蓋板５がそれぞれ連設され、端板２の下端には底片６が、上端には蓋片７がそれぞれ連設されている。
【００２１】
各側板１の両側部には、それぞれ側板１と端板２の稜線に平行となるように側折線８が入れられ、各底板４及び蓋板５の両側部には、それぞれ側折線８の延長線上に底折線９及び蓋折線１０が入れられている。側折線８を基準として、組立時に側板１の端板２に接近する部分には、側折線８の下端から側板１と端板２の稜線の上端へかけて、端板２の方向へ４５°の角度をなす斜折線１１が入れられている。
【００２２】
また、底板４の一側部には、製箱して保管しておく際、偏平に折り畳むための平折線１２が入れられている。
【００２３】
側折線８及び蓋折線１０は、表面が凸側となる山折り用として、段ボールの裏面側から押圧した押罫とされ、斜折線１１及び平折線１２は、表面が凹側となる谷折りを可能とするため、押罫に切目を断続的に入れたリード罫とされている。底折線９もまた、底板４と底片６が重なり合った状態での山折りを容易とするため、リード罫とされている。
【００２４】
上記ブランクを製箱し、通信販売事業者が顧客へ商品を発送する際には、各一対の側板１及び端板２を境界の稜線に沿って周方向に折り曲げ、継代片３により接合し、図２に示すように、側板１、底板４、底片６及び蓋板５を、側折線８、底折線９、蓋折線１０及び斜折線１１に沿って折り曲げることなく、側板１及び端板２から底板４及び底片６をそれぞれ境界の稜線に沿って折り曲げ、底面を閉止する。
【００２５】
そして、天面が開口した状態で、箱内に商品を収納した後、蓋片７を水平方向へ折り曲げ、これに重ねるように蓋板５を折り曲げ、蓋板５の突合部にテープＴを貼り付けて封緘すると、最大サイズでの包装状態となる。
【００２６】
一方、顧客が購入する商品以外の商品を返送する際、通信販売事業者から発送された商品よりも返送する商品が相当少量となる場合には、図３に示すように、箱の両側部において、側板１を斜折線１１に沿って谷折り方向へ折り込むと共に、側板１、底板４、底片６及び蓋板５を、側折線８、底折線９及び蓋折線１０に沿って山折りすることにより、底板４及び底片６の底折線９より端側の部分を側板１と共に起立させる。
【００２７】
そして、図４に示すように、水平方向へ向いた両方の端板２及び蓋片７の上面に蓋板５を重ね、蓋板５の突合部にテープＴを貼り付けて封緘すると、長さ方向の寸法が２段階短縮された縮小サイズの包装状態となる。
【００２８】
また、発送された商品よりも返送する商品が若干少量となる場合には、図５に示すように、箱の一側部において、側板１を斜折線１１に沿って谷折り方向へ折り込むと共に、側板１、底板４、底片６及び蓋板５を、側折線８、底折線９及び蓋折線１０に沿って山折りし、箱の他側部は、発送されたままの状態としておく。
【００２９】
そして、水平方向へ向いた一方の端板２及び蓋片７の上面に蓋板５を重ね、蓋板５の突合部にテープＴを貼り付けて封緘すると、長さ方向の寸法が１段階短縮された縮小サイズの包装状態となる。
【００３０】
上記のように、このサイズ可変箱では、最大サイズの状態から、側折線８、底折線９、蓋折線１０及び斜折線１１に沿った折り曲げに伴い、底面を開放することなく、長さ方向の寸法を２段階又は１段階短縮した縮小サイズへ容易に変形することができ、１本のテープＴで容易に封緘できる。
【００３１】
このため、通信販売における商品の返送に際し、顧客が縮小サイズへ変形して包装することを期待でき、通信販売事業者は、送料負担を軽減できる。
【００３２】
また、この変形に際し、底板４及び蓋板５の一部を切り取らなくてもよいので、縮小サイズでの包装強度が低下することもなく、縮小サイズへの変形後、返送する商品が縮小サイズでは箱内に収納しきれないことが判明した場合等においては、縮小サイズから最大サイズに復元し、発送時と同様の状態で封緘することもできる。
【００３３】
なお、この第１実施形態では、箱の長さ方向の両側部にサイズ可変のための折曲構造を設けることにより、２段階に縮小できるようにしたが、収納する各商品の大きさ等によっては、箱の長さ方向の一側部にのみ上記のような折曲構造を設けることにより、１段階にのみ縮小できるようにしてもよい。
【００３４】
次に、この発明の第２実施形態を図６〜図１０に基づいて説明する。
【００３５】
図６に示すように、このサイズ可変箱の段ボール製ブランクでは、長さ方向の側板１及び幅方向の端板２が交互に各一対連設され、一端の側板１の外側端には、継代片３が連設されている。側板１の下端には底板４が、上端には蓋板５がそれぞれ連設され、端板２の下端には底片６が、上端には蓋片７がそれぞれ連設されている。
【００３６】
端板２を挟んだ側板１の一側部には、側板１と端板２の稜線に平行な側折線１３が入れられ、底板４及び蓋板５には、それぞれ側折線１３の延長線上に底折線１４及び蓋折線１５が入れられている。側折線１３及び蓋折線１５を基準として、側板１及び蓋板５の端板２から離れた部分には、側折線１３の下端から蓋板５の先端へかけて、端板２の反対方向へ４５°の角度をなす斜折線１６，１７が連続的に入れられている。
【００３７】
また、側折線１３を基準として、側板１の端板２に接近する部分には、側折線１３の下端から側板１と端板２の稜線の上端へかけて、端板２の方向へ４５°の角度をなす斜折線１８が入れられ、底板４の一側部には、製箱して保管しておく際、偏平に折り畳むための平折線１２が入れられている。
【００３８】
側折線１３は、表面が凹側となる谷折りを容易とするため、押罫に切目を断続的に入れたリード罫とされ、斜折線１６，１７，１８は、表面が凸側となる山折りを容易とするため、リード罫とされている。底折線９もまた、底板４と底片６が重なり合った状態での山折りを容易とするため、リード罫とされている。
【００３９】
上記ブランクを製箱し、通信販売事業者が顧客へ商品を発送する際には、各一対の側板１及び端板２を境界の稜線に沿って周方向に折り曲げ、継代片３により接合し、図７に示すように、側板１、底板４、底片６及び蓋板５を、側折線１３、底折線１４、蓋折線１５及び斜折線１６，１７，１８に沿って折り曲げることなく、側板１及び端板２から底板４及び底片６をそれぞれ境界の稜線に沿って折り曲げ、底面を閉止する。
【００４０】
そして、天面が開口した状態で、箱内に商品を収納した後、蓋片７を水平方向へ折り曲げ、これに重ねるように蓋板５を折り曲げ、蓋板５の突合部にテープＴを貼り付けて封緘すると、最大サイズでの包装状態となる。
【００４１】
一方、顧客が購入する商品以外の商品を返送する際、通信販売事業者から発送された商品よりも返送する商品が少量となる場合には、図８に示すように、縮小サイズでの包装とするため、箱の一側部分において、側板１を斜折線１８に沿って谷折り方向へ屈曲させつつ、側板１及び蓋板５を、側折線１３及び蓋折線１５に沿って谷折り方向へ折り込むと共に、斜折線１６，１７に沿って山折りし、底板４及び底片６を底折線１４に沿って山折りし、底板４及び底片６の底折線１４より端側の部分を側板１と共に起立させる。
【００４２】
そして、図９に示すように、側板１の斜折線１８に沿った折り曲げを戻し、一側の端板２が水平方向へ向いた状態で、蓋片７を折り返して退避させ、図１０に示すように、蓋板５を突き合わせるように水平方向へ折り曲げ、蓋板５の上面に蓋片７を順次重ね合わせ、蓋片７の突合部にテープＴを貼り付けて封緘すると、長さ方向の寸法が短縮された縮小サイズの包装状態となる。
【００４３】
上記のように、このサイズ可変箱では、最大サイズの状態から、側折線１３、底折線１４、蓋折線１５及び斜折線１６，１７，１８に沿った折り曲げに伴い、底面を開放することなく、長さ方向の寸法を短縮した縮小サイズへ容易に変形することができ、１本のテープＴで容易に封緘できる。
【００４４】
このため、通信販売における商品の返送に際し、顧客が縮小サイズへ変形して包装することを期待でき、通信販売事業者は、送料負担を軽減できる。
【００４５】
また、この変形に際し、底板４及び蓋板５の一部を切り取らなくてもよいので、縮小サイズでの包装強度が低下することもなく、縮小サイズへの変形後、返送する商品が縮小サイズでは箱内に収納しきれないことが判明した場合等においては、縮小サイズから最大サイズに復元し、発送時と同様の状態で封緘することもできる。
【００４６】
なお、この第２実施形態では、縮小サイズへの変形を容易とするため、側板１の端板２に接近する部分に斜折線１８を入れたが、この斜折線１８を省略しても、側板１の端部を撓ませることにより、最大サイズの状態から縮小サイズへ変形することができる。
【００４７】
また、上記第１、第２実施形態では、いわゆるワンタッチ底形式のものを例示したが、いわゆるタックエンド形式等、底面の閉止構造が他の形式となった箱においても、上記のようなサイズ可変のための構成を適用することができる。
【符号の説明】
【００４８】
１  側板
２  端板
３  継代片
４  底板
５  蓋板
６  底片
７  蓋片
８  側折線
９  底折線
１０  蓋折線
１１  斜折線
１２  平折線
１３  側折線
１４  底折線
１５  蓋折線
１６，１７，１８  斜折線
Ｔ  テープ
【図１】
2015030522.tif 000003
【図２】
2015030522.tif 000004
【図３】
2015030522.tif 000005
【図４】
2015030522.tif 000006
【図５】
2015030522.tif 000007
【図６】
2015030522.tif 000008
【図７】
2015030522.tif 000009
【図８】
2015030522.tif 000010
【図９】
2015030522.tif 000011
【図１０】
2015030522.tif 000012
【図１１】
2015030522.tif 000013
【図１２】
2015030522.tif 000014